(57)【要約】【課題】画像形成装置と外部との干渉を抑制することのできるカバー付き画像形成装置を提供すること。【解決手段】  カバー付きプリンタ１は、用紙Ｐに画像を形成するように構成されるプリンタ２と、プリンタ２に対して着脱可能であり、プリンタ２の本体下壁３３の下面以外を覆うカバー３とを備えている。【選択図】図１
2015197524.tif 000002
【特許請求の範囲】
【請求項１】
記録媒体に画像を形成するように構成される画像形成装置と、
前記画像形成装置に対して着脱可能であり、前記画像形成装置の底面以外を覆うカバーと
を備えていることを特徴とする、カバー付き画像形成装置。
【請求項２】
前記画像形成装置は、記録媒体に現像剤像を定着するように構成される定着部を有し、
前記カバーは、前記画像形成装置に装着したときに、前記定着部の上方に配置される放熱口を備えている
ことを特徴とする、請求項１に記載のカバー付き画像形成装置。
【請求項３】
前記画像形成装置は、把持部を備え、
前記カバーは、前記画像形成装置に装着されたときに、前記把持部を露出させるように構成される露出口を備えている
ことを特徴とする、請求項１または２に記載のカバー付き画像形成装置。
【請求項４】
前記把持部は、
前記画像形成装置に近接する第１位置と、
前記カバーが前記画像形成装置に装着されたときに、前記露出口を通過して、前記第１位置よりも前記画像形成装置から離れる第２位置と
の間を移動するように構成されている
ことを特徴とする、請求項３に記載のカバー付き画像形成装置。
【請求項５】
前記把持部は、前記第１位置と前記第２位置との間を回動するように構成されていることを特徴とする、請求項４に記載のカバー付き画像形成装置。
【請求項６】
前記画像形成装置は、前記底面よりも上方に配置される上壁を備え、
前記把持部は、前記上壁に備えられている
ことを特徴とする、請求項３〜５のいずれか一項に記載のカバー付き画像形成装置。
【請求項７】
前記画像形成装置は、
第１側壁と、
前記第１側壁に対して、上下方向と直交する第１方向に間隔を隔てて配置される第２側壁と
を備え、
前記第１側壁は、下方から上方に向かうにつれて、前記第２側壁に向かって傾斜し、
前記第２側壁は、下方から上方に向かうにつれて、前記第１側壁に向かって傾斜している
ことを特徴とする、請求項１〜６のいずれか一項に記載のカバー付き画像形成装置。
【請求項８】
前記カバーは、
前記第１側壁の傾斜に沿い、前記第１側壁を保護する第１保護壁と、
前記第２側壁の傾斜に沿い、前記第２側壁を保護する第２保護壁と
を備えていることを特徴とする、請求項７に記載のカバー付き画像形成装置。
【請求項９】
前記画像形成装置は、
前記上下方向および前記第１方向の両方と直交する第２方向の一方において、前記第１側壁と前記第２側壁とを連結する第３側壁と、
前記第２方向の他方において、前記第１側壁と前記第２側壁とを連結する第４側壁と
を備え、
前記第３側壁は、下方から上方に向かうにつれて、前記第４側壁に向かって傾斜し、
前記第４側壁は、前記上下方向に沿って延びている
ことを特徴とする、請求項７または８に記載のカバー付き画像形成装置。
【請求項１０】
前記カバーは、
前記第３側壁の傾斜に沿い、前記第３側壁を保護する第３保護壁と、
前記第４側壁に沿って前記上下方向に延び、前記第４側壁を保護する第４保護壁と
を備えていることを特徴とする、請求項９に記載のカバー付き画像形成装置。
【請求項１１】
前記カバーは、記録媒体を収容可能な記録媒体収容部を備えていることを特徴とする、請求項１〜１０のいずれか一項に記載のカバー付き画像形成装置。
【請求項１２】
前記記録媒体収容部に対して収容された記録媒体の上端は、前記カバーの上端よりも上方に突出していることを特徴とする、請求項１１に記載のカバー付き画像形成装置。
【請求項１３】
前記記録媒体収容部の下端部は、前記底面よりも上方に配置されていることを特徴とする、請求項１１または１２に記載のカバー付き画像形成装置。
【請求項１４】
画像形成装置は、前記画像形成装置に対して着脱可能な電源コードを備え、
前記カバーは、前記電源コードを収容するように構成されるコード収容部を備えている
ことを特徴とする、請求項１〜１３のいずれか一項に記載のカバー付き画像形成装置。
【請求項１５】
前記画像形成装置は、前記画像形成装置に対して着脱可能であって、記録媒体を積載するように構成されるトレイを備え、
前記カバーは、前記トレイを収容可能なトレイ収容部を備えている
ことを特徴とする、請求項１〜１４のいずれか一項に記載のカバー付き画像形成装置。
【請求項１６】
前記カバーは、前記画像形成装置に装着されたときに、前記画像形成装置と当接する当接部を備えていることを特徴とする、請求項１〜１５のいずれか一項に記載のカバー付き画像形成装置。
【請求項１７】
前記画像形成装置は、前記底面よりも上方に配置される上壁を備え、
前記当接部は、前記上壁と当接するように構成されていることを特徴とする、請求項１６に記載のカバー付き画像形成装置。
【請求項１８】
上下方向における前記当接部の下端部から前記カバーの下端部までの寸法は、前記上下方向における前記上壁から前記底面までの寸法よりも短いことを特徴とする、請求項１７に記載のカバー付き画像形成装置。
【請求項１９】
前記当接部は、前記カバーから前記画像形成装置へ向けて突出する突起であることを特徴とする、請求項１６〜１８のいずれか一項に記載のカバー付き画像形成装置。
【請求項２０】
前記当接部は、弾性を有する弾性部材からなることを特徴とする、請求項１９に記載のカバー付き画像形成装置。
【請求項２１】
前記カバーは、前記画像形成装置に装着されたときに、前記カバーを前記画像形成装置に対して固定するためのロック部を備えていることを特徴とする、請求項１〜２０のいずれか一項に記載のカバー付き画像形成装置。
【発明の詳細な説明】
【技術分野】
【０００１】
本発明は、記録媒体に画像を形成可能な画像形成装置がカバーによって保護されるカバー付き画像形成装置に関する。
【背景技術】
【０００２】
記録媒体に画像を形成可能な画像形成装置が知られている。
【０００３】
このような画像形成装置として、筐体の背面にハンドルを備えることにより、作業者が自在に持ち運び可能な画像形成装置が知られている（例えば、特許文献１参照）。
【先行技術文献】
【特許文献】
【０００４】
【特許文献１】特開２０１１−２３２６７０号公報
【発明の概要】
【発明が解決しようとする課題】
【０００５】
しかるに、上記した特許文献１に記載の画像形成装置は、筐体が露出された状態で、ハンドルを把持して持ち運ばれる。そのため、画像形成装置を持ち運ぶときに、筐体が外部と干渉し、傷付くおそれがある。
【０００６】
そこで、本発明の目的は、画像形成装置と外部との干渉を抑制することのできるカバー付き画像形成装置を提供することにある。
【課題を解決するための手段】
【０００７】
（１）上記した目的を達成するために、本発明のカバー付き画像形成装置は、記録媒体に画像を形成するように構成される画像形成装置と、画像形成装置に対して着脱可能であり、画像形成装置の底面以外を覆うカバーとを備えている。
【０００８】
このような構成によれば、画像形成装置に対して、カバーを装着することで、画像形成装置を保護することができる。
【０００９】
そのため、カバー付き画像形成装置では、画像形成装置を使用する場合には、カバーを画像形成装置から離脱させて、記録媒体に画像を形成することができ、画像形成装置を使用しない場合には、画像形成装置に対してカバーを装着して、画像形成装置と外部とが干渉することを抑制することができる。
【００１０】
また、カバー付き画像形成装置を、画像形成装置と外部との干渉を気にすることなく持ち運ぶことができる。
（２）また、画像形成装置は、記録媒体に現像剤像を定着するように構成される定着部を有し、カバーは、画像形成装置に装着したときに、定着部の上方に配置される放熱口を備えていてもよい。
【００１１】
このような構成によれば、画像形成装置において、画像形成動作を実行することによって発生する定着部からの熱を、カバーの放熱口から放熱することができる。
【００１２】
そのため、画像形成動作を実行した直後であっても、画像形成装置に対してカバーを装着することができる。
（３）また、画像形成装置は、把持部を備え、カバーは、画像形成装置に装着されたときに、把持部を露出させるように構成される露出口を備えていてもよい。
【００１３】
このような構成によれば、画像形成装置に備えられる把持部を、カバーの露出口を介して把持し、カバー付き画像形成装置を持ち運ぶことができる。
（４）また、把持部は、画像形成装置に近接する第１位置と、カバーが画像形成装置に装着されたときに、露出口を通過して、第１位置よりも画像形成装置から離れる第２位置との間を移動するように構成されていてもよい。
【００１４】
このような構成によれば、カバー付き画像形成装置を設置面に設置するときには、把持部を第１位置に位置させることで、省スペース化を図ることができ、カバー付き画像形成装置を持ち運ぶときには、把持部を第２位置に位置させることで、作業者が容易に把持部にアクセスすることができる。
（５）また、把持部は、第１位置と第２位置との間を回動するように構成されていてもよい。
【００１５】
このような構成によれば、把持部を回動させるという簡易な構成により、第１位置と第２位置との間を移動させることができる。
（６）また、画像形成装置は、底面よりも上方に配置される上壁を備え、把持部は、上壁に備えられていてもよい。
【００１６】
このような構成によれば、把持部が画像形成装置の上方に配置されているので、作業者が把持部にアクセスし易く、カバー付き画像形成装置を容易に持ち運ぶことができる。
（７）また、画像形成装置は、第１側壁と、第１側壁に対して、上下方向と直交する第１方向に間隔を隔てて配置される第２側壁とを備え、第１側壁は、下方から上方に向かうにつれて、第２側壁に向かって傾斜し、第２側壁は、下方から上方に向かうにつれて、第１側壁に向かって傾斜していてもよい。
【００１７】
このような構成によれば、第１側壁および第２側壁が傾斜していることにより、画像形成装置の上端部は窄まっているので、画像形成装置に対して、カバーを容易に装着することができる。
（８）また、カバーは、第１側壁の傾斜に沿い、第１側壁を保護する第１保護壁と、第２側壁の傾斜に沿い、第２側壁を保護する第２保護壁とを備えていてもよい。
【００１８】
このような構成によれば、カバーを画像形成装置に対して、第１保護壁を第１側壁に沿わせ、第２保護壁を第２側壁に沿わせることにより、容易に装着することができる。
【００１９】
さらに、第１保護壁が第１側壁に沿い、第２保護壁が第２側壁に沿っていることにより、カバー付き画像形成装置の大型化を抑制することができる。
（９）また、画像形成装置は、上下方向および第１方向の両方と直交する第２方向の一方において、第１側壁と第２側壁とを連結する第３側壁と、第２方向の他方において、第１側壁と第２側壁とを連結する第４側壁とを備え、第３側壁は、下方から上方に向かうにつれて、第４側壁に向かって傾斜し、第４側壁は、上下方向に沿って延びていてもよい。
【００２０】
このような構成によれば、第３側壁が傾斜していることにより、画像形成装置の上端部は、より窄まっているので、画像形成装置に対して、カバーをより確実に装着することができる。
【００２１】
また、第４側壁が上下方向に沿って延びていることにより、第２方向における画像形成装置の薄型化を図ることができる。
（１０）また、カバーは、第３側壁の傾斜に沿い、第３側壁を保護する第３保護壁と、第４側壁に沿って上下方向に延び、第４側壁を保護する第４保護壁とを備えていてもよい。
【００２２】
このような構成によれば、カバーを画像形成装置に対して、第３保護壁を第３側壁に沿わせることにより、より容易に装着することができる。
【００２３】
また、第４保護壁が上下方向に沿って延びていることにより、第２方向におけるカバーの薄型化を図ることができる。
【００２４】
さらに、第３保護壁が第３側壁に沿い、第４保護壁が第４側壁に沿っていることにより、カバー付き画像形成装置の大型化を抑制することができる。
（１１）また、カバーは、記録媒体を収容可能な記録媒体収容部を備えていてもよい。
【００２５】
このような構成によれば、カバーの記録媒体収容部に記録媒体を収容して、カバー付き画像形成装置を持ち運ぶことができる。
（１２）また、記録媒体収容部に対して収容された記録媒体の上端は、カバーの上端よりも上方に突出していてもよい。
【００２６】
このような構成によれば、記録媒体収容部に収容された記録媒体の上端部を把持することができ、記録媒体収容部から記録媒体を容易に取り出すことができる。
（１３）また、記録媒体収容部の下端部は、底面よりも上方に配置されていてもよい。
【００２７】
このような構成によれば、画像形成装置の大きさに関わらず、記録媒体収容部に記録媒体を収容したときに、記録媒体の上端部を容易にカバーの上端部よりも上方に突出させることができる。
（１４）また、画像形成装置は、画像形成装置に対して着脱可能な電源コードを備え、カバーは、電源コードを収容するように構成されるコード収容部を備えていてもよい。
【００２８】
このような構成によれば、画像形成装置を使用しない場合には、電源コードをコード収容部に収容することができる。
【００２９】
その結果、画像形成装置と電源コードとを分離させながらも、まとめて持ち運ぶことができる。
（１５）また、画像形成装置は、画像形成装置に対して着脱可能であって、記録媒体を積載するように構成されるトレイを備え、カバーは、トレイを収容可能なトレイ収容部を備えていてもよい。
【００３０】
このような構成によれば、画像形成装置を使用しない場合には、トレイをトレイ収容部に収容することができる。
【００３１】
その結果、画像形成装置とトレイとを分離させながらも、まとめて持ち運ぶことができる。
（１６）また、カバーは、画像形成装置に装着されたときに、画像形成装置と当接する当接部を備えていてもよい。
【００３２】
このような構成によれば、カバー付き画像形成装置において、カバーと画像形成装置との接点を少なくすることができる。
【００３３】
その結果、カバーが画像形成装置と接触することによる画像形成装置の傷付きを抑制することができる。
（１７）また、画像形成装置は、底面よりも上方に配置される上壁とを備え、当接部は、上壁と当接するように構成されていてもよい。
【００３４】
このような構成によれば、カバーを画像形成装置に装着するときには、設置面に設置される画像形成装置に対して、上方からカバーを被せるという簡易な動作により、当接部を画像形成装置に当接させることができる。
【００３５】
そのため、カバーを画像形成装置に対して容易に装着することができる。
（１８）また、上下方向における当接部の下端部からカバーの下端部までの寸法は、上下方向における上壁から底面までの寸法よりも短くてもよい。
【００３６】
このような構成によれば、設置面に設置された画像形成装置に対してカバーを装着したときに、カバーが設置面と接触しないので、カバーを画像形成装置に対して確実に装着することができる。
（１９）また、当接部は、カバーから画像形成装置へ向けて突出する突起であってもよい。
【００３７】
このような構成によれば、カバーから突起を突出させるという簡易な構成により、当接部を形成することができる。
（２０）また、当接部は、弾性を有する弾性部材からなってもよい。
【００３８】
このような構成によれば、当接部が画像形成装置と接触することによる画像形成装置の傷付きを抑制することができる。
（２１）また、カバーは、画像形成装置に装着されたときに、カバーを画像形成装置に対して固定するためのロック部を備えていてもよい。
【００３９】
このような構成によれば、カバーと画像形成装置がロック部によって固定されるので、カバー付き画像形成装置を持ち運ぶときに、カバーと画像形成装置とが分離することを抑制することができる。
【００４０】
そのため、画像形成装置と外部との干渉を、より一層抑制することができる。
【発明の効果】
【００４１】
本発明のカバー付き画像形成装置では、画像形成装置と外部との干渉を抑制することができる。
【図面の簡単な説明】
【００４２】
【図１】図１は、本発明のカバー付き画像形成装置の第１実施形態としてのカバー付きプリンタの中央断面図である。
【図２】図２Ａは、図１に示すカバー付きプリンタを左後方から見た斜視図である。図２Ｂは、図２Ａに示すカバーを左後方から見た斜視図である。
【図３】図３Ａは、図２Ａに示すプリンタを左後方から見た斜視図であって、可動トレイが排紙位置に位置し、ハンドルが第１位置に位置した状態を示す。図３Ｂは、図２Ａに示すプリンタを左後方から見た斜視図であって、可動トレイが収容位置に位置し、ハンドルが第２位置に位置した状態を示す。
【図４】図４Ａは、図１に示すカバー付きプリンタの正面図である。図４Ｂは、図１に示すカバー付きプリンタの底面図である。
【図５】図５は、図１に示すカバー付きプリンタの左側面図である。
【図６】図６Ａは、本発明の第２実施形態のカバー付きプリンタを左後方から見た斜視図であって、収容ポケットに着脱トレイを収容した状態を示す。図６Ｂは、図６Ａに示すカバー付きプリンタを左後方から見た斜視図であって、収容ポケットに電源コードを収容した状態を示す。
【図７】図７Ａは、図６Ａに示すプリンタを右前方から見た斜視図であって、着脱トレイが装着された状態を示す。図７Ｂは、図６Ａに示すプリンタを右前方から見た斜視図であって、着脱トレイが取り外された状態を示す。
【図８】図８は、本発明の第３実施形態のカバー付きプリンタを右前方から見た斜視図である。
【図９】図９Ａは、図８に示すカバーを右前方から見た斜視図である。図９Ｂは、図８に示すプリンタを右前方から見た斜視図である。
【発明を実施するための形態】
【００４３】
１．カバー付きプリンタの概要
図１に示すように、レーザプリンタなどの画像形成装置の一例としてのプリンタ２は、不使用時には、後述するカバー３が装着されることによって保護される。これによって、プリンタ２とカバー３とを備えるカバー付き画像形成装置の一例としてのカバー付きプリンタ１が構成される。
【００４４】
なお、カバー付きプリンタ１およびプリンタ２に関し、方向について言及する場合には、設置面Ｓに載置した状態を上下の基準とする。すなわち、図１の紙面上方が上方であり、紙面下方が下方である。また、図１の紙面左方が前方であり、図１の紙面右方が後方である。また、カバー付きプリンタ１を前方から見たときを左右の基準とする。すなわち、図１の紙面手前が右方であり、紙面奥が左方である。左右方向が第１方向の一例であり、前後方向が第２方向の一例である。
２．プリンタの全体構成
画像形成装置の一例としてのプリンタ２は、本体ケーシング６と、画像形成部７と、定着部の一例としての定着ユニット１１とを備えている。
【００４５】
本体ケーシング６は、略ボックス形状を有している。
【００４６】
画像形成部７は、プロセスユニット９と、スキャナユニット１０とを備えている。
【００４７】
プロセスユニット９は、本体ケーシング６内の上下方向略中央に配置されている。プロセスユニット９は、ドラムユニット１２と、現像ユニット１３とを備えている。
【００４８】
ドラムユニット１２は、感光ドラム１４と、感光ドラム１４の後方に配置される転写ローラ１５と、感光ドラム１４の前上方に間隔を空けて配置されるスコロトロン型帯電器１６とを備えている。
【００４９】
現像ユニット１３は、内部にトナーを収容しており、感光ドラム１４の前下方に配置される現像ローラ１７と、現像ローラ１７の前下方に配置される供給ローラ１８と、現像ローラ１７の前上方に配置される層厚規制ブレード１９とを備えている。
【００５０】
スキャナユニット１０は、本体ケーシング６の上下方向略中央において、プロセスユニット９よりも前上方に配置されている。スキャナユニット１０は、感光ドラム１４に向けて画像データに基づくレーザービームＬを出射し、感光ドラム１４の周面を露光する。
【００５１】
定着ユニット１１は、本体ケーシング６の後上端部において、プロセスユニット９の上方に配置されている。定着ユニット１１は、加熱ローラ２０と、加熱ローラ２０の後上方に配置される加圧ローラ２１とを備えている。
【００５２】
そして、プリンタ２に印刷ジョブが入力され、画像形成動作が開始されると、現像ユニット１３内のトナーは、供給ローラ１８と現像ローラ１７との間で摩擦帯電され、層厚規制ブレード１９によって厚さが規制されて、一定厚さの薄層として現像ローラ１７の表面に担持される。
【００５３】
一方、感光ドラム１４の表面は、スコロトロン型帯電器１６によって一様に帯電された後、スキャナユニット１０によって露光される。これにより、画像データに基づく静電潜像が、感光ドラム１４の表面に形成される。そして、現像ローラ１７に担持されるトナーが感光ドラム１４の表面上の静電潜像に供給されることにより、感光ドラム１４の表面上に現像剤像の一例としてのトナー像が担持される。
【００５４】
本体ケーシング６の底部に配置される給紙トレイ２４に載置された記録媒体の一例としての用紙Ｐは、各種ローラの回転により、所定のタイミングで１枚ずつ、感光ドラム１４と転写ローラ１５との間に給紙される。そして、用紙Ｐには、感光ドラム１４と転写ローラ１５との間を通過するときに、トナー像が転写され、画像が形成される。
【００５５】
続いて、用紙Ｐは、加熱ローラ２０と加圧ローラ２１との間を通過するときに加熱および加圧される。このとき、用紙Ｐには、画像が熱定着される。その後、用紙Ｐは、本体ケーシング６の上部に配置される排紙トレイ２５に排紙される。
【００５６】
このように用紙Ｐは、プリンタ２の画像形成動作において、給紙トレイ２４から排紙トレイ２５へ、側面視略Ｃ字状に搬送される。
３．本体ケーシングの詳細
本体ケーシング６は、図１および図３Ａに示すように、第１側壁の一例としての本体右壁２８と、第２側壁の一例としての本体左壁２９と、第３側壁の一例としての本体前壁３０と、第４側壁の一例としての本体後壁３１と、上壁の一例としての本体上壁３２と、本体下壁３３とを備えている。
【００５７】
本体右壁２８は、図４Ａおよび図５に示すように、本体ケーシング６の右端部に配置されている。本体右壁２８は、上下前後方向に延びる側面視略矩形の略板状を有している。本体右壁２８の前端縁は、下方から上方に向かうにつれて、わずかに後方に傾斜している。本体右壁２８の後端縁は、上下方向に沿って延びている。また、本体右壁２８は、図５に示すように、下方から上方に向かうにつれて、左方に、すなわち本体左壁２９に向かって傾斜している。
【００５８】
本体左壁２９は、図１および図３Ａに示すうように、本体ケーシング６の左端部に配置されている。本体左壁２９は、上下前後方向に延びる側面視略矩形の略板状を有している。本体左壁２９の形状は、本体左壁２９を左右方向に投影したときに、本体右壁２８の形状と一致している。つまり、本体左壁２９の前端縁は、下方から上方に向かうにつれて、わずかに後方に傾斜しており、本体左壁２９の後端縁は、上下方向に沿って延びている。また、本体左壁２９は、下方から上方に向かうにつれて、右方に、すなわち本体右壁２８に向かって傾斜している。
【００５９】
本体前壁３０は、図１および図４Ａに示すように、本体ケーシング６の前端部に配置されている。本体前壁３０は、上下左右方向に延びる正面視略矩形の略板状を有している。本体前壁３０は、本体右壁２８の前端部、および、本体左壁２９の前端部の間に架設されている。これにより、本体前壁３０は、下方から上方に向かうにつれて、わずかに後方に傾斜している。また、本体前壁３０は、給紙口３６を有している。
【００６０】
給紙口３６は、本体前壁３０の下端部における左右方向略中央部分を、正面視略矩形状に貫通している。給紙口３６は、本体ケーシング６内に給紙される用紙Ｐが通過可能なサイズを有している。
【００６１】
本体後壁３１は、図１および図３Ａに示すように、本体ケーシング６の後端部に配置されており、背面視略矩形の略板状を有している。本体後壁３１は、本体右壁２８の後端部、および、本体左壁２９の後端部の間に架設されている。これにより、本体後壁３１は、上下方向に沿って延びている。
【００６２】
本体上壁３２は、本体ケーシング６の上端部に配置されており、平面視略矩形の略板状を有している。本体上壁３２は、本体右壁２８の上端部、および、本体左壁２９の上端部の間に架設されるとともに、その前端部が本体前壁３０の上端部に連続し、その後端部が本体後壁３１の上端部に連続している。本体上壁３２は、窪部３７と、可動トレイ３８と、ハンドル収容部３９と、把持部の一例としてのハンドル４０とを備えている。
【００６３】
窪部３７は、平面視における本体上壁３２の略中央部分から前端部にわたって、本体上壁３２の上面から下方に向かって窪んでいる。詳しくは、窪部３７は、可動トレイ収容部４３と、排紙部４４とを備えている。
【００６４】
可動トレイ収容部４３は、窪部３７の後方部分であって、本体上壁３２の上面から下方に向かって平面視略矩形状に窪んでいる。
【００６５】
排紙部４４は、可動トレイ収容部４３の前端部から連続して、本体上壁３２を上下方向に沿って下方に向かって屈折する後壁と、後壁の下端部から前上方に向かって屈折する前壁とからなり、側断面視略直角三角形状に窪んでいる。排紙部４４は、排紙口４５と、上部載置面４６とを備えている。
【００６６】
排紙口４５は、図１に示すように、排紙部４４の後壁における左右方向略中央部分を、正面視略矩形状に貫通している。排紙口４５は、本体ケーシング６の内外を連通し、本体ケーシング６から排出される用紙Ｐの通過を許容可能なサイズを有している。
【００６７】
上部載置面４６は、図１および図３Ａに示すように、排紙部４４の前壁において、後下方と前上方とを結ぶ方向に沿って延び、後上方に臨む面であって、排紙口４５から排出される用紙Ｐを載置可能に構成されている。
【００６８】
可動トレイ３８は、平面視略矩形の略板状を有している。上部載置面４６の前上端部を支点として、排紙部４４を被覆し、可動トレイ収容部４３に収容される収容位置と、上部載置面４６の前上端から前上方に向かって延びるように位置する排紙位置とに回動可能に構成されている。
【００６９】
そして、可動トレイ３８は、排紙位置に位置するときに、上部載置面４６とともに、上記した排紙トレイ２５として構成される。
【００７０】
ハンドル収容部３９は、図３Ａおよび図３Ｂに示すように、本体上壁３２の上面における窪部３７の周縁部において、窪部３７の可動トレイ収容部４３を囲うように平面視略Ｕ字状を有し、下方に向かって窪んでいる。ハンドル収容部３９の上下方向寸法は、窪部３７の可動トレイ収容部４３の上下方向寸法よりも大きい。また、ハンドル収容部３９は、定着ユニット１１の近傍に配置されている。詳しくは、ハンドル収容部３９は、右収容部４９と、左収容部５０と、グリップ収容部５１とから構成されている。
【００７１】
右収容部４９は、窪部３７から右方に間隔を空けて配置され、本体上壁３２の上面から下方に向かって、前後方向に延びる略直線状に窪んでいる。右収容部４９は、前後方向において、可動トレイ収容部４３の前端部から、本体上壁３２の後端部にわたって延びている。
【００７２】
左収容部５０は、窪部３７から左方に間隔を空けて配置され、本体上壁３２の上面から下方に向かって、前後方向に延びる略直線状に窪んでいる。左収容部５０は、前後方向において、可動トレイ収容部４３の前端部から、本体上壁３２の後端部にわたって延びている。
【００７３】
グリップ収容部５１は、窪部３７の後端縁から連続して、本体上壁３２の後端部にわたって、本体上壁３２の上面から下方に向かって、左右方向に延びる略直線状に窪んでいる。グリップ収容部５１の左右両端部のそれぞれは、右収容部４９の後端部、および、左収容部５０の後端部に連続している。
【００７４】
ハンドル４０は、作業者が把持可能に構成されている。詳しくは、ハンドル４０は、図１および図３Ｂに示すように、右連結部５３と、左連結部５４と、グリップ５５とを備えている。
【００７５】
右連結部５３は、その基端部がハンドル収容部３９の右収容部４９の前端部において左右方向に延びる回動軸Ａを支点として回動可能な略角柱形状を有している。右連結部５３は、右収容部４９に収容可能に構成されている。
【００７６】
左連結部５４は、その基端部がハンドル収容部３９の左収容部５０の前端部において、右連結部５３と同じ回動軸Ａを支点として回動可能な略角柱形状を有している。左連結部５４は、左収容部５０に収容可能に構成されている。
【００７７】
グリップ５５は、左右方向に延びる略角柱形状を有し、右連結部５３の遊端部、および、左連結部５４の遊端部を連結している。グリップ５５は、グリップ収容部５１に収容可能に構成されている。
【００７８】
こうして、ハンドル４０は、回動軸Ａを支点として回動可能な、略Ｕ字状を有しており、図３Ａに示すように、グリップ５５が本体上壁３２に近接し、ハンドル収容部３９に収容される第１位置と、図３Ｂに示すように、グリップ５５が本体上壁３２から離れ、立設される第２位置とに回動可能に構成されている。なお、ハンドル４０が第１位置に位置しているときには、右連結部５３は右収容部４９に収容され、左連結部５４は左収容部５０に収容され、グリップ５５はグリップ収容部５１に収容される。また、ハンドル４０が第２位置に位置しているときには、右連結部５３および左連結部５４が、本体上壁３２に対して略９０°となり、グリップ５５が回動軸Ａの上方となるように配置される。
【００７９】
本体下壁３３は、図１および図４Ｂに示すように、本体ケーシング６の下端部に配置されており、底面視略矩形の略板状を有している。つまり、本体下壁３３の下面は、設置面Ｓと上下方向において向かい合っている。本体下壁３３の下面が、底面の一例である。本体下壁３３は、本体右壁２８の下端部、および、本体左壁２９の下端部の間に架設されるとともに、その前端部が本体前壁３０の下端部に連続し、その後端部が本体後壁３１の下端部に連続している。
【００８０】
本体下壁３３の前方部分における上面は、下部載置面５８として画定されている。
【００８１】
下部載置面５８は、給紙口３６を介して、外部と連通されている。すなわち、下部載置面５８は、給紙トレイ２４として構成されている。
【００８２】
また、本体下壁３３の下面は、複数、すなわち４つの脚部５９を備えている。
【００８３】
脚部５９は、ゴムなどの弾性部材からなり、底面視略矩形の略板状を有している。４つの脚部５９は、本体下壁３３の下面の４つの角にそれぞれ接着剤などにより接着されている。なお、右方の２つの脚部５９のそれぞれは、上下方向に投影したときに、その一部が本体上壁３２の右端縁よりも右方となるように配置されている。また、左方の２つの脚部５９のそれぞれは、上下方向に投影したときに、その一部が本体上壁３２の左端縁よりも左方となるように配置されている。
【００８４】
また、本体ケーシング６において、前後方向における本体後壁３１から本体前壁３０までの最大寸法Ｍ１は、Ａ４サイズの用紙Ｐの横の寸法２１０ｍｍよりも小さい。
【００８５】
また、上下方向における本体下壁３３から本体上壁３２までの最大寸法Ｍ２は、Ａ４サイズの用紙Ｐの縦の寸法２９７ｍｍよりも小さい。
【００８６】
つまり、前後方向における本体後壁３１から本体前壁３０までの最大寸法Ｍ１は、上下方向における本体下壁３３から本体上壁３２までの最大寸法Ｍ２よりも小さい。
【００８７】
また、給紙口３６の左右方向寸法、および、排紙口４５の左右方向寸法は、Ａ４サイズの用紙Ｐの横の寸法２１０ｍｍよりも大きい。
４．カバーの詳細
カバー３は、図１および図２Ｂに示すように、下方が開放され、上端部が閉鎖された略角筒形状を有している。具体的には、カバー３は、第１保護壁の一例としてのカバー右壁６５と、第２保護壁の一例としてのカバー左壁６６と、第３保護壁の一例としてのカバー前壁６７と、第４保護壁の一例としてのカバー後壁６８と、カバー上壁６９と、受入口７０と、放熱口および露出口の一例としての開口７１とを備えている。
【００８８】
カバー右壁６５は、図２Ｂおよび図５に示すように、カバー３の右端部に配置されている。カバー右壁６５は、上下前後方向に延びる側面視略矩形の略板状を有している。カバー右壁６５の前端縁は、下方から上方に向かうにつれて、わずかに後方に傾斜している。カバー右壁６５の後端縁は、上下方向に沿って延びている。また、カバー右壁６５は、図４Ａに示すように、下方から上方に向かうにつれて、左方に傾斜している。すなわち、カバー右壁６５は、カバー３がプリンタ２に装着された状態において、本体右壁２８に沿って傾斜している。
【００８９】
カバー左壁６６は、図１および図２Ｂに示すように、カバー３の左端部に配置されている。カバー左壁６６は、上下前後方向に延びる側面視略矩形の略板状を有している。カバー左壁６６は、左右方向に投影したときに、カバー右壁６５と、その外形が一致している。つまり、カバー左壁６６の前端縁は、下方から上方に向かうにつれて、わずかに後方に傾斜しており、カバー左壁６６の後端縁は、上下方向に沿って延びている。また、カバー左壁６６は、図４Ａに示すように、下方から上方に向かうにつれて、右方に傾斜している。すなわち、カバー左壁６６は、カバー３がプリンタ２に装着された状態において、本体左壁２９に沿って傾斜している。
【００９０】
カバー前壁６７は、図１および図４Ａに示すように、カバー３の前端部に配置されている。カバー前壁６７は、上下左右方向に延びる正面視略矩形の略板状を有している。カバー前壁６７は、カバー右壁６５の前端部、および、カバー左壁６６の前端部の間に架設されている。これにより、カバー前壁６７は、図１および図５に示すように、下方から上方に向かうにつれて、わずかに後方に傾斜している。すなわち、カバー前壁６７は、カバー３がプリンタ２に装着された状態において、本体前壁３０に沿って傾斜している。
【００９１】
カバー後壁６８は、図１および図２Ｂに示すように、カバー３の後端部に配置されており、背面視略矩形状の略板状を有している。カバー後壁６８は、カバー右壁６５の後端部、および、カバー左壁６６の後端部の間に架設されている。これにより、カバー後壁６８は、図１および図５に示すように、上下方向に沿って延びている。すなわち、カバー後壁６８は、カバー３がプリンタ２に装着された状態において、本体後壁３１に沿っている。また、カバー後壁６８は、記録媒体収容部の一例としての収容ポケット７４を備えている。
【００９２】
収容ポケット７４は、図２Ａおよび図５に示すように、カバー後壁６８の後面における略中央部分に配置されている。収容ポケット７４は、カバー後壁６８の後面から後方に向かって突出し、下端部が閉鎖された略角筒形状を有している。詳しくは、収容ポケット７４は、ポケット右壁７５と、ポケット左壁７６と、ポケット後壁７７と、ポケット底壁７８とを備えている。
【００９３】
ポケット右壁７５は、収容ポケット７４の右端部に配置されている。ポケット右壁７５は、上下方向に延びる側面視略矩形の略板状を有している。ポケット右壁７５は、カバー後壁６８の右端部における後面から後方に向かって突出している。
【００９４】
ポケット左壁７６は、収容ポケット７４の左端部に配置されている。ポケット左壁７６は、上下方向に延びる側面視略矩形の略板状を有している。ポケット左壁７６は、カバー後壁６８の左端部における後面から後方に向かって突出している。
【００９５】
ポケット後壁７７は、収容ポケット７４の後端部に配置されており、正面視略矩形の略板状を有している。ポケット後壁７７は、ポケット右壁７５の後端部、および、ポケット左壁７６の後端部の間に架設されている。
【００９６】
ポケット底壁７８は、収容ポケット７４の下端部に配置されており、底面視略矩形の略板状を有している。ポケット底壁７８は、ポケット右壁７５の下端部、および、ポケット左壁７６の下端部の間に架設されるとともに、その後端部がポケット後壁７７の下端部に連続し、その前端部がカバー後壁６８の下端部における後面に連続している。
【００９７】
ポケット右壁７５の左面から、ポケット左壁７６の右面までの左右方向寸法は、Ａ４サイズの用紙Ｐの横の寸法２１０ｍｍよりも大きい。これにより、収容ポケット７４は、縦向きのＡ４サイズの用紙Ｐの下端部を受け入れ可能なサイズを有している。
【００９８】
なお、図５に示すように、収容ポケット７４にＡ４サイズの用紙Ｐが縦向きに収容されたとき、用紙Ｐの上端部は、カバー３の上端部よりも上方に突出する。また、図１に示すように、カバー３がプリンタ２に装着された状態において、収容ポケット７４のポケット底壁７８の下端部は、本体下壁３３の下面よりも上方に配置されている。
【００９９】
カバー上壁６９は、図１および図２Ｂに示すように、カバー３の上端部に配置されており、平面視略矩形の略板状を有している。カバー上壁６９は、カバー右壁６５の上端部、および、カバー左壁６６の上端部の間に架設されるとともに、その前端部がカバー前壁６７の上端部に連続し、その後端部がカバー後壁６８の上端部に連続している。カバー上壁６９は、複数、すなわち４つの当接部８０を備えている。
【０１００】
当接部８０は、ゴムなどの弾性部材からなり、底面視略矩形の略板状を有している。４つの当接部８０は、カバー上壁６９の下面の４つの角にそれぞれ接着剤などにより接着されている。つまり、当接部８０は、カバー３がプリンタ２に装着された状態において、プリンタ２に向けて突出する突起として構成され、プリンタ２の本体上壁３２に対して当接するように構成されている。なお、上下方向において、当接部８０の下端部からカバー３の下端部までの寸法Ｍ４は、上記したプリンタ２の本体ケーシング６の本体下壁３３から本体上壁３２までの最大寸法Ｍ２よりも小さい。
【０１０１】
受入口７０は、カバー３の下端部であって、カバー右壁６５の下端縁、カバー左壁６６の下端縁、カバー前壁６７の下端縁、および、カバー後壁６８の下端縁によって画定されている。受入口７０は、平面視において、プリンタ２を受け入れ可能なサイズを有している。
【０１０２】
開口７１は、カバー後壁６８の上端部から、カバー上壁６９の後方部分にわたって、カバー３を切り欠く開口である。具体的には、カバー上壁６９における開口７１の左右方向寸法は、ハンドル４０の左右方向寸法よりもわずかに大きく、開口７１の前後方向寸法は、ハンドル４０の前後方向寸法よりもわずかに大きい。また、カバー後壁６８における開口７１の左右方向寸法は、カバー上壁６９における開口７１の左右方向寸法と同一であり、カバー後壁６８における開口７１の上下方向寸法は、第１位置に位置するハンドル４０の上下方向寸法、および、ハンドル収容部３９の上下方向寸法よりもわずかに大きい。
【０１０３】
開口７１は、カバー３がプリンタ２に装着された状態において、ハンドル収容部３９近傍の定着ユニット１１の加熱ローラ２０からの熱を逃がすように構成されている。
５．カバーのプリンタに対する装着
カバー３は、図１および図２Ａに示すように、作業者により、プリンタ２に対して装着される。
【０１０４】
プリンタ２に対してカバー３を装着するには、まず、設置面Ｓに載置されるプリンタ２に対して、平面視において重なるように、カバー３を上方に配置する。
【０１０５】
そして、カバー３を、プリンタ２を被覆するように徐々に下方へ移動させる。
【０１０６】
そうすると、カバー３は、その受入口７０がプリンタ２を受け入れるようにして、プリンタ２に装着されていく。このとき、カバー３は、図１および図４Ａに示すように、カバー右壁６５が本体右壁２８に沿い、カバー左壁６６が本体左壁２９に沿い、カバー前壁６７が本体前壁３０に沿い、カバー後壁６８が本体後壁３１に沿うようにして、プリンタ２に装着されていく。
【０１０７】
そして、カバー３の４つの当接部８０の下面は、プリンタ２の本体上壁３２の上面に当接する。これにより、カバー３のプリンタ２に対する装着が完了する。
【０１０８】
こうして、プリンタ２とカバー３とによって、カバー付きプリンタ１が構成される。
【０１０９】
このとき、カバー右壁６５が本体右壁２８を保護し、カバー左壁６６が本体左壁２９を保護し、カバー前壁６７が本体前壁３０を保護し、カバー後壁６８が本体後壁３１を保護するようにして、カバー３がプリンタ２を保護している。
【０１１０】
また、図２Ａに示すように、プリンタ２のハンドル収容部３９およびハンドル４０は、カバー３の開口７１から露出されている。これにより、カバー３がプリンタ２に装着された状態において、ハンドル４０を第１位置と第２位置とに回動可能であり、作業者は、ハンドル４０を第１位置から第２位置に回動させ、グリップ５５を把持して、カバー付きプリンタ１を持ち運び可能となる。
６．作用効果
（１）このカバー付きプリンタ１によれば、図１に示すように、設置面Ｓに設置した状態のプリンタ２に対して、カバー３を装着することで、プリンタ２を保護することができる。
【０１１１】
そのため、カバー付きプリンタ１では、プリンタ２を使用する場合には、図３Ａに示すように、カバー３をプリンタ２から離脱させて、用紙Ｐに画像を形成することができ、プリンタ２を使用しない場合には、図１に示すように、プリンタ２に対してカバー３を装着して、プリンタ２と外部とが干渉することを抑制することができる。
【０１１２】
また、図２Ａに示すように、カバー付きプリンタ１を、プリンタ２と外部との干渉を気にすることなく持ち運ぶことができる。
【０１１３】
また、カバー３は、プリンタ２に装着されることで、排紙口４５を覆うので、排紙口４５からプリンタ２内部に埃などが入ることを抑制することができる。
（２）また、このカバー付きプリンタ１によれば、図１および図２Ａに示すように、プリンタ２において、画像形成動作を実行することによって発生する定着ユニット１１からの熱を、カバー３の開口７１から放熱することができる。
【０１１４】
そのため、画像形成動作を実行した直後であっても、プリンタ２に対してカバー３を装着することができる。
（３）また、このカバー付きプリンタ１によれば、図１および図２Ａに示すように、プリンタ２に備えられるハンドル４０を、カバー３の開口７１を介して把持し、カバー付きプリンタ１を持ち運ぶことができる。
（４）また、このカバー付きプリンタ１によれば、図１に示すように、カバー付きプリンタ１を設置面Ｓに設置するときには、ハンドル４０を第１位置に位置させることで、省スペース化を図ることができ、カバー付きプリンタ１を持ち運ぶときには、ハンドル４０を第２位置に位置させることで、作業者が容易にハンドル４０にアクセスすることができる。
（５）また、このカバー付きプリンタ１によれば、図１に示すように、ハンドル４０を回動させるという簡易な構成により、第１位置と第２位置との間を移動させることができる。
（６）また、このカバー付きプリンタ１によれば、図１または図２Ａに示すように、ハンドル４０がプリンタ２の本体上壁３２に備えられているので、作業者がハンドル４０にアクセスし易く、カバー付きプリンタ１を容易に持ち運ぶことができる。
（７）また、このカバー付きプリンタ１によれば、図４Ａに示すように、本体右壁２８および本体左壁２９が傾斜していることにより、プリンタ２の上端部は窄まっているので、カバー３の受入口７０で、プリンタ２の上端部を確実に受け入れることができる。
【０１１５】
その結果、プリンタ２に対して、カバー３を容易に装着することができる。
（８）また、このカバー付きプリンタ１によれば、図４Ａに示すように、カバー３をプリンタ２に対して、カバー右壁６５を本体右壁２８に沿わせ、カバー左壁６６を本体左壁２９に沿わせることにより、容易に装着することができる。
【０１１６】
さらに、カバー右壁６５が本体右壁２８に沿い、カバー左壁６６が本体左壁２９に沿っていることにより、カバー付きプリンタ１の大型化を抑制することができる。
（９）また、このカバー付きプリンタ１によれば、図１および図５に示すように、本体前壁３０が傾斜していることにより、プリンタ２の上端部は、より窄まっているので、プリンタ２に対して、カバー３をより確実に装着することができる。
【０１１７】
また、本体後壁３１が上下方向に沿って延びていることにより、前後方向におけるプリンタ２の薄型化を図ることができる。
（１０）また、このカバー付きプリンタ１によれば、図１および図５に示すように、カバー３をプリンタ２に対して、カバー前壁６７を本体前壁３０に沿わせることにより、より容易に装着することができる。
【０１１８】
また、カバー後壁６８が上下方向に沿って延びていることにより、前後方向におけるカバー３の薄型化を図ることができる。
【０１１９】
さらに、カバー前壁６７が本体前壁３０に沿い、カバー後壁６８が本体後壁３１に沿っていることにより、カバー付きプリンタ１の大型化を抑制することができる。
【０１２０】
また、カバー前壁６７が傾斜する本体前壁３０に沿っており、カバー後壁６８が上下方向に沿った本体後壁３１に沿っているため、作業者は、プリンタ２に対するカバー３の向きを間違うことなく、確実に装着することができる。
（１１）また、このカバー付きプリンタ１によれば、図５に示すように、カバー３の収容ポケット７４に用紙Ｐを収容して、カバー付きプリンタ１を持ち運ぶことができる。
（１２）また、このカバー付きプリンタ１によれば、図５に示すように、収容ポケット７４に収容された用紙Ｐの上端部を把持することができ、収容ポケット７４から用紙Ｐを容易に取り出すことができる。
（１３）また、このカバー付きプリンタ１によれば、図５に示すように、収容ポケット７４のポケット底壁７８は、本体下壁３３の下面よりも上方に配置されているので、プリンタ２の大きさに関わらず、収容ポケット７４に用紙Ｐを収容したときに、用紙Ｐの上端部を容易にカバー３の上端部よりも上方に突出させることができる。
（１４）また、このカバー付きプリンタ１によれば、図１および図４Ａに示すように、カバー３は、プリンタ２と当接する４つの当接部８０を備えていることにより、カバー３とプリンタ２との接点を少なくすることができる。
【０１２１】
その結果、カバー３がプリンタ２と接触することによるプリンタ２の傷付きを抑制することができる。
（１５）また、このカバー付きプリンタ１によれば、図１および図４Ａに示すように、カバー３をプリンタ２に装着するときには、設置面Ｓに設置されるプリンタ２に対して、上方からカバー３を被せるという簡易な動作により、４つの当接部８０をプリンタ２に当接させることができる。
【０１２２】
そのため、カバー３をプリンタ２に対して容易に装着することができる。
（１６）また、このカバー付きプリンタ１によれば、図１および図４に示すように、設置面Ｓに設置されたプリンタ２に対してカバー３を装着したときに、カバー３が設置面Ｓと接触しないので、カバー３をプリンタ２に対して確実に装着することができる。
（１７）また、このカバー付きプリンタ１によれば、図１および図４Ａに示すように、当接部８０をカバー３から突出させるという簡易な構成により形成することができる。
（１８）また、このカバー付きプリンタ１によれば、図１および図４Ａに示すように、ゴムなどの弾性部材からなる当接部８０が本体上壁３２と接触するようにして、カバー３がプリンタ２に装着されるので、プリンタ２の傷付きを抑制することができる。
７．第２実施形態
図６Ａ〜図７Ｂを参照して、カバー付きプリンタ１の第２実施形態を説明する。なお、第２実施形態において、上記した第１実施形態と同様の部材には同様の符号を付し、その説明を省略する。
（１）第２実施形態のプリンタの構成
プリンタ２において、本体ケーシング６は、図７Ａおよび図７Ｂに示すように、ハンドル４０を備えておらず、把持部の一例としての左右１対の把持凹部８３と、複数、すなわち２つの連結凹部８５を備えている。
【０１２３】
左右１対の把持凹部８３は、作業者が把持可能に構成されている。右方の把持凹部８３は、本体右壁２８の上端部における前後方向略中央の右面から、左方に向かって側面視略矩形状に窪んでいる。左方の把持凹部８３は、図６Ａおよび図６Ｂに示すように、右方の把持凹部８３と正面視において左右対称、かつ、左右方向に投影したときに重なっており、本体左壁２９の上端部における前後方向略中央の左面から、右方に向かって側面視略矩形状に窪んでいる。左右１対の把持凹部８３のそれぞれは、作業者が把持可能なサイズを有している。
【０１２４】
２つの連結凹部８５は、本体下壁３３の前端部において、左右方向に互いに間隔を空けて配置されている。２つの連結凹部８５は、給紙口３６から露出されている。連結凹部８５は、本体下壁３３の前端部において、本体下壁３３の上面から下方に向かって窪んでいる。連結凹部８５は、前方に向かうにつれて、その左右方向寸法が小さくなる平面視略台形状を有している。
【０１２５】
また、プリンタ２は、着脱トレイ８８と、電源コード８９とをさらに備えている。
【０１２６】
着脱トレイ８８は、図７Ｂに示すように、平面視略矩形の略板状を有している。着脱トレイ８８は、複数、すなわち２つの連結凸部９１と、１対のガイド溝９２と、１対の用紙規制部９３とを備えている。
【０１２７】
２つの連結凸部９１は、それぞれが本体下壁３３の２つの連結凹部８５のそれぞれに対応しており、左右方向に互いに、２つの連結凹部８５と同じ間隔を空けて配置されている。連結凸部９１は、着脱トレイ８８の後端部から後方に向かって突出している。連結凸部９１は、後方に向かうにつれて、その左右方向寸法が大きくなる平面視略台形状を有している。
【０１２８】
１対のガイド溝９２は、着脱トレイ８８の上面において、左右方向に沿って平面視略矩形状に延びる溝であり、互いに左右方向に間隔を空けて配置されている。
【０１２９】
１対の用紙規制部９３のそれぞれは、対応するガイド溝９２にスライド自在に嵌まっている。１対の用紙規制部９３のそれぞれは、左右方向に延びる水平部と、平板部の左右方向外端部から上方に延びる垂直部とからなる断面視略Ｌ字状の略板状である。なお、１対の用紙規制部９３は、図示しないリンク機構により連動するように構成されており、一方の用紙規制部９３が左右方向内方へスライド移動すると、他方の用紙規制部９３も左右方向内方へスライド移動する。また、一方の用紙規制部９３が左右方向外方へスライド移動すると、他方の用紙規制部９３も左右方向外方へスライド移動する。
【０１３０】
そして、着脱トレイ８８は、図７Ａに示すように、２つの連結凸部９１のそれぞれが対応する連結凹部８５に受け入れられることにより、本体ケーシング６に対して装着される。
【０１３１】
なお、着脱トレイ８８の後端縁は、着脱トレイ８８が本体ケーシング６に対して装着されることにより、本体下壁３３の前端縁と向かい合い、着脱トレイ８８の上面は、給紙口３６を介して、下部載置面５８と連続するように構成されている。つまり、着脱トレイ８８は、下部載置面５８とともに、給紙トレイ２４として構成される。
【０１３２】
電源コード８９は、図６Ｂに示すように、巻回可能な略コード状を有している。電源コード８９は、プリンタ２に対して、外部からの電力を供給可能であり、本体ケーシング６の図示しない接続部に対して着脱可能である。
（２）第２実施形態のカバーの構成
カバー３は、図６Ａおよび図６Ｂに示すように、開口７１を備えておらず、左右１対の露出口９５を備えている。
【０１３３】
左方の露出口９５は、カバー３がプリンタ２に装着された状態において、把持凹部８３と重なるように、カバー左壁６６の上端部における前後方向略中央を側面視略矩形状に貫通している。右方の露出口９５は、図示しないが、左方の露出口９５と正面視において左右対称、かつ、左右方向に投影したときに重なっており、カバー右壁６５の上端部における前後方向略中央を側面視略矩形状に貫通している。露出口９５の上下方向寸法は、把持凹部８３の上下方向寸法よりもわずかに大きく、露出口９５の前後方向寸法は、把持凹部８３の前後方向寸法よりもわずかに大きい。
【０１３４】
また、収容ポケット７４は、図６Ａに示すように、上記した着脱トレイ８８を受け入れ可能なサイズを有している。これにより、収容ポケット７４は、プリンタ２から離脱された着脱トレイ８８を受け入れ可能である。つまり、収容ポケット７４は、トレイ収容部の一例として構成されている。
【０１３５】
また、収容ポケット７４は、図６Ｂに示すように、上記した電源コード８９を受け入れ可能なサイズを有している。これにより、収容ポケット７４は、プリンタ２から離脱され、巻回された電源コード８９を受け入れ可能である。つまり、収容ポケット７４は、コード収容部の一例として構成されている。
（３）第２実施形態におけるカバーのプリンタに対する装着状態
カバー３は、第１実施形態と同様の手順により、プリンタ２に対して装着される。
【０１３６】
そうすると、右方の把持凹部８３が、右方の露出口９５から露出され、左方の把持凹部８３が、左方の露出口９５から露出される。
【０１３７】
これにより、カバー３がプリンタ２に装着された状態において、作業者は、露出口９５を介して、把持凹部８３を把持可能であり、カバー付きプリンタ１を持ち運び可能となる。
（４）第２実施形態の作用効果
第２実施形態によれば、図６Ｂに示すように、プリンタ２を使用しない場合には、電源コード８９を収容ポケット７４に収容することができる。
【０１３８】
その結果、プリンタ２と電源コード８９とを分離させながらも、まとめて持ち運ぶことができる。
【０１３９】
また、図６Ａおよび図７Ｂに示すように、プリンタ２を使用しない場合には、着脱トレイ８８を収容ポケット７４に収容することができる。
【０１４０】
その結果、プリンタ２と着脱トレイ８８とを分離させながらも、まとめて持ち運ぶことができる。
【０１４１】
また、第２実施形態においても、上記した第１実施形態と同様の作用効果を得ることができる。
８．第３実施形態
図８〜図９Ｂを参照して、カバー付きプリンタ１の第３実施形態を説明する。なお、第３実施形態において、上記した第１実施形態と同様の部材には同様の符号を付し、その説明を省略する。
（１）第３実施形態のプリンタの構成
プリンタ２において、本体ケーシング６は、図９Ｂに示すように、ハンドル４０を備えておらず、左右１対の突出部９８を備えている。
【０１４２】
右方の突出部９８は、本体右壁２８の下端部における前後方向略中央の右面から、右方に向かって突出する略角柱形状を有している。左方の突出部９８は、図示しないが、右方の突出部９８と正面視において左右対称であり、本体左壁２９の下端部における前後方向略中央の左面から、左方に向かって突出する略角柱形状を有している。
（２）第３実施形態のカバーの構成
カバー３は、図９Ａに示すように、開口７１を備えておらず、左右１対のロック部１００と、左右１対の挟持部１０１と、カバーハンドル１０２とを備えている。
【０１４３】
右方のロック部１００は、カバー右壁６５の下端部における前後方向略中央の右面から、側面視略矩形状に膨出する略板状を有している。なお、右方のロック部１００の下端部は、カバー右壁６５の下端部よりもわずかに下方に突出している。右方のロック部１００は、係合穴１０５を備えている。
【０１４４】
係合穴１０５は、右方のロック部１００の下端部を側面視略矩形状に貫通している。係合穴１０５は、突出部９８を受け入れ可能なサイズを有している。
【０１４５】
左方のロック部１００は、図示しないが、右方のロック部１００と正面視において左右対称であり、カバー左壁６６の下端部における前後方向略中央の左面から、側面視略矩形状に膨出する略板状を有しており、係合穴１０５を備えている。
【０１４６】
左右１対の挟持部１０１は、カバー上壁６９の前後方向略中央において、左右方向に互いに間隔を空けて配置されている。挟持部１０１は、カバー上壁６９の上面から側面視略円弧形状に突出する２枚のプレートから構成されている。
【０１４７】
カバーハンドル１０２は、作業者が把持可能に構成されている。詳しくは、カバーハンドル１０２は、図８および図９Ａに示すように、右連結部１０７と、左連結部１０８と、グリップ１０９とを備えている。
【０１４８】
右連結部１０７は、その基端部が右方の挟持部１０１に挟持され、左右方向に延びる回動軸Ｂを支点として回動可能な略角柱形状を有している。
【０１４９】
左連結部１０８は、その基端部が左方の挟持部１０１に挟持され、右連結部１０７と同じ回動軸Ｂを支点として回動可能な略角柱形状を有している。
【０１５０】
グリップ１０９は、左右方向に延びる略角柱形状を有し、右連結部１０７の遊端部、および、左連結部１０８の遊端部を連結している。
【０１５１】
こうして、カバーハンドル１０２は、回動軸Ｂを支点として１８０°回動可能な、略Ｕ字状を有しており、グリップ１０９がカバー上壁６９に近接し、右連結部１０７および左連結部１０８が前後方向に沿う図８に仮想線で示す第１位置と、グリップ１０９がカバー上壁６９から離れ、カバー上壁６９に対して略９０°に立設される図８に実線で示す第２位置とに回動可能に構成されている。
（３）第３実施形態におけるカバーのプリンタに対する装着
カバー３は、第１実施形態と同様の手順により、プリンタ２に対して装着されていく。      
【０１５２】
そして、カバー３の右方のロック部１００が本体ケーシング６の右方の突出部９８に当接すると、右方のロック部１００は、右方の突出部９８に沿って右方に撓み、カバー３の左方のロック部１００が本体ケーシング６の左方の突出部９８に当接すると、左方のロック部１００は、左方の突出部９８に沿って左方に撓む。
【０１５３】
そして、さらにカバー３をプリンタ２に対して装着していくと、左右１対のロック部１００の撓みが解消され、左右１対の突出部９８のそれぞれが、対応する係合穴１０５に受け入れられる。こうして、左右１対の突出部９８のそれぞれは、対応するロック部１００と係合される。
【０１５４】
以上により、図９に示すように、プリンタ２とカバー３とによって、カバー付きプリンタ１が構成される。
【０１５５】
そして、作業者は、カバー付きプリンタ１において、カバー３のカバーハンドル１０２を第２位置に位置させ、グリップ１０９を把持することで、カバー付きプリンタ１を持ち運び可能となる。
（４）第３実施形態の作用効果
第３実施形態によれば、図８に示すように、カバー３とプリンタ２がロック部１００によって固定されるので、カバー付きプリンタ１を持ち運ぶときに、カバー３とプリンタ２とが分離することを抑制することができる。
【０１５６】
そのため、プリンタ２と外部との干渉を、より一層抑制することができる。
【０１５７】
また、第３実施形態においても、上記した第１実施形態と同様の作用効果を得ることができる。
【符号の説明】
【０１５８】
１      カバー付きプリンタ
２      プリンタ
３      カバー
７      画像形成部
１１    定着ユニット
２８    本体右壁
２９    本体左壁
３０    本体前壁
３１    本体後壁
３２    本体上壁
３３    本体下壁
４０    ハンドル
６５    カバー右壁
６６    カバー左壁
６７    カバー前壁
６８    カバー後壁
７０    受入口
７１    開口
７４    収容ポケット
８０    当接部
８３    把持凹部
８８    着脱トレイ
８９    電源コード
９５    露出口
１００  ロック部
【図１】
2015197524.tif 000003
【図２】
2015197524.tif 000004
【図３】
2015197524.tif 000005
【図４】
2015197524.tif 000006
【図５】
2015197524.tif 000007
【図６】
2015197524.tif 000008
【図７】
2015197524.tif 000009
【図８】
2015197524.tif 000010
【図９】
2015197524.tif 000011